(57)【要約】      （修正有）【課題】２枚の刃体の刃の間に挟まれた草木が刃の外に逃げずに確実に切断でき、また刈り残しのない作業ができるバリカン式草刈機を提供する。【解決手段】複数の刃３ｂを第１板状本体３ａの幅方向の両側に所定間隔で配列した第１刃体３と、第１刃体３における刃３ｂと同じ間隔で複数の刃４ｂを第２板状本体４の幅方向の両側に配列した第２刃体４と、第１刃体３および第２刃体４を逆方向に往復動させる駆動装置とを備えてバリカン式草刈機を構成する。さらに、第２刃体４の刃４ｂに、刃線に垂直方向の複数の切り込み４ｄを設け、また第１刃体３および第２刃体４を取り付ける板状ステー１の上部に、間隔をおいて複数の棒体８を立設する。【選択図】図１
0003168172.tif 000002
【実用新案登録請求の範囲】
【請求項１】
複数の刃を第１板状本体の幅方向の両側に所定間隔で配列した第１刃体と、前記第１刃体における刃と同じ間隔で複数の刃を第２板状本体の幅方向の両側に配列した第２刃体と、前記第１刃体および第２刃体を逆方向に往復動させる駆動装置とを備えたバリカン式草刈機において、
前記第１刃体または第２刃体のいずれか一方の刃に、刃線に垂直方向の複数の切り込みを設けたことを特徴とするバリカン式草刈機。
【請求項２】
前記第１刃体および第２刃体を取り付ける板状ステーの上部に、間隔をおいて複数の突状体を立設したことを特徴とする請求項１記載のバリカン式草刈機。
【考案の詳細な説明】
【技術分野】
【０００１】
本考案は、２枚の刃体が互いに逆方向に往復運動することにより草木を刈り取るバリカン式草刈機に関する。
【背景技術】
【０００２】
草刈機の方式としては、回転刃をエンジン等で高速回転させる方式と、２枚の刃体を往復動させるバリカン方式がある。前者は、回転刃が高速回転するので、刈り取り効率は高いが、小石等に当たると遠心力で小石が飛散するという問題がある。特に、高速道路の中央分離帯や、路肩の植栽などの草刈りを行う場合には、小石や土塊が飛散して道路内に入ると、車両の走行に支障が出る。また走行中の車両のフロントガラス、サイドガラス、ボディーへの損傷等の事故にもつながる。そのため、作業中は安全を確保するために走行車線を規制しなければならず、交通渋滞の原因にもなっていた。
この点、後者のバリカン式では、小石等に当たっても、可動刃が数ｃｍの範囲で往復動する程度であるので小石等を刃の間に挟むのみで飛散させることはない。また、生垣のブロック等の障害物に可動刃が当たっても関係なく作業ができるという利点がある。さらに、草刈機を持ち上げて使用することにより、生垣など、高い場所の樹木剪定なども容易に行うことができる。
【０００３】
バリカン方式の草刈機の先行技術としては、特許文献１〜３に開示されたものがある。
【先行技術文献】
【特許文献】
【０００４】
【特許文献１】特開２００１−１２８５２５号公報
【特許文献２】特開２０１０−０００００１号公報
【特許文献３】特開２０１０−０９８９７２号公報
【考案の概要】
【考案が解決しようとする課題】
【０００５】
バリカン方式の草刈機では、２枚の刃体の刃の噛み合いによる剪断力で草木を刈るのであるが、２枚の刃体の刃はいずれも二等辺三角状の刃からなっているので、草木が堅かったり草木の表面が滑らかであったりすると、２枚の刃の間に挟まれた草木が刃の外の方に滑り出して逃げてしまい、草木が切断されないという問題がある。
そこで本考案は、２枚の刃体の刃の間に挟まれた草木が刃の外に逃げずに確実に切断できるバリカン式草刈機を提供することを目的とする。
【課題を解決するための手段】
【０００６】
前記課題を解決するため、本考案は、複数の刃を第１板状本体の幅方向の両側に所定間隔で配列した第１刃体と、前記第１刃体における刃と同じ間隔で複数の刃を第２板状本体の幅方向の両側に配列した第２刃体と、前記第１刃体および第２刃体を逆方向に往復動させる駆動装置とを備えたバリカン式草刈機において、
前記第１刃体または第２刃体のいずれか一方の刃に、刃線に垂直方向の複数の切り込みを設けたことを特徴とする。
【０００７】
本考案においては、第１刃体に配列された刃または第２刃体に配列された刃のいずれか一方の刃に複数の切り込みを設けたことにより、第１刃体の刃と第２刃体の刃に挟まれた草木が刃の外に滑り出して逃げ出そうとしても、草木は切り込みの部分に噛み込み、切り込みを設けていない方の刃により確実に切断される。
【０００８】
なお、回転刃式の草刈機では、回転刃を水平方向に払いながら刈っていくため、刈られた草木は側方に押しやられるが、バリカン式の刃であると、刈られた草木はその場で倒れるのみであるので、刈れているか、単に押し倒されているだけなのかの判別がしにくい。そのため、刈り残しが発生し、作業のやり直しを行うことが多々あった。そこで、前記第１刃体および第２刃体を取り付ける板状ステーの上部に、間隔をおいて複数の突状体を立設することにより、刈られて板状ステーの上に倒れた草木は板状ステーの上の突状体に乗り、草刈機を側方に払ったときに一緒に移動し、側方で逆方向に移動させる際に板状ステーから落ちる。これにより、草木が刈られたのか、単に押し倒されたのかの判別が明確になり、刈り残しのない作業が可能となる。
【考案の効果】
【０００９】
本考案によれば、複数の第１三角刃を第１板状本体の幅方向の両側に所定間隔で配列した固定刃と、固定刃と同じ間隔で複数の第２三角刃を第２板状本体の幅方向の両側に配列した可動刃と、可動刃を往復動させる駆動装置とを備えたバリカン式草刈機において、第１三角刃または第２三角刃のいずれか一方の刃に、複数の切り込みを設けたことにより、固定刃と可動刃の間に挟まれた草木が刃の外に逃げずに確実に切断される。また、固定刃と可動刃のうち、上側になる方の板状本体の上部に間隔をおいて複数の突出部を設けたことにより、草木が刈られたのか、単に押し倒されたのかの判別が明確になり、刈り残しのない作業が可能となる。
【図面の簡単な説明】
【００１０】
【図１】本考案の実施の形態に係るバリカン式草刈機の要部の分解斜視図である。
【図２】本考案の実施の形態に係るバリカン式草刈機の要部の断面図である。
【図３】本考案の実施の形態に係るバリカン式草刈機の要部の斜視図である。
【図４】本考案の実施の形態に係るバリカン式草刈機の拡大平面図である。
【考案を実施するための形態】
【００１１】
以下、本考案の実施の形態を図面を用いて説明する。
本考案の実施の形態に係るバリカン式草刈機は、図１〜図４に示すように、板状ステー１と支持板２との間に第１刃体３と第２刃体４とが配置され、ボルト５とナット６によって挟み着けられている。図中７はワッシャーである。第１刃体３を構成する第１板状体３ａと第２刃体４を構成する第２板状本体４ａの幅方向の側部には、二等辺三角形状の刃３ｂと４ｂがそれぞれ設けられており、また第１板状体３ａと第２板状本体４ａには、ボルト５の軸が挿通するとともに、第１刃体３と第２刃体４がその長手方向に移動可能となるように長穴３ｃ、４ｃが設けられている。
【００１２】
バリカン式草刈機の端部には駆動部ハウジング１０が設けられており、ハウジング１０内部に設けられ、図示しないエンジン部からの出力軸により回転駆動される駆動軸１１の先端に第１の傘歯車１２が取り付けられている。第１の傘歯車１２には第２の傘歯車１３が噛み合うようになっており、第２の傘歯車１３により主軸１４が回転駆動される。主軸１４には第１のカム１５と第２のカム１６が設けられており、この第１のカム１５と第２のカム１６に第１刃体３と第２刃体４の端部がそれぞれ係合されていて、主軸１４の回転運動を第１刃体３と第２刃体４の往復運動に変換する。
【００１３】
本考案の第１の特徴は、本実施の形態では第２刃体４の刃４ｂに、刃線に垂直方向の切り込み４ｄを複数設けたことである。また、本考案の第２の特徴は、本実施の形態では板状ステー１の上部に、棒体８（突出部）を複数本、長手方向に沿って所定間隔で溶接等で固定したことである。
【００１４】
本考案の実施の形態においては、第２刃体４に配列された刃４ｂに複数の切り込み４ｄを設けたことにより、第１刃体３の刃３ｂと第２刃体４の刃４ｂに挟まれた草木が刃３ｂ、４ｂの外に滑り出して逃げ出そうとしても、草木は切り込み４ｄの部分に噛み込み、切り込み４ｄを設けていない方の刃３ｂにより確実に切断される。
【００１５】
第１刃体３および第２刃体４を取り付ける板状ステー１の上部に、間隔をおいて複数の棒体８を立設したことにより、刈られて板状ステー１の上に倒れた草木は板状ステー１の上の棒体８に乗り、草刈機を側方に払ったときに一緒に移動し、側方で逆方向に移動させる際に板状ステー１から落ちる。これにより、草木が刈られたのか、単に押し倒されたのかの判別が明確になり、刈り残しのない作業が可能となる。
なお、本実施の形態では、板状ステー１の上部に棒体８を立設した例を示したが、櫛状の板を取り付けるなど、刈り取られた草木を一緒に移動させる突出部であれば、他の構成でも良い。
【産業上の利用可能性】
【００１６】
本考案は、２枚の刃体の刃の間に挟まれた草木が刃の外に逃げずに確実に切断できる、また刈り残しのない作業ができるバリカン式草刈機として、特に高速道路の植栽の手入れなどに好適に利用することができる。
【符号の説明】
【００１７】
１  板状ステー１
２  支持板
３  第１刃体
３ａ  第１板状本体
３ｂ  刃
３ｃ  長穴
４  第２刃体
４ａ  第２板状本体
４ｂ  刃
４ｃ  長穴
４ｄ  切り込み
５  ボルト
６  ナット
７  ワッシャー
８  棒体（突出部）
【図１】
0003168172.tif 000003
【図２】
0003168172.tif 000004
【図３】
0003168172.tif 000005
【図４】
0003168172.tif 000006